(57)【要約】【課題】打席の傾斜角度をゴルファーの所望する角度へ速やかに設定することが可能であり、かつ構造が簡単であることから持ち運びが容易なゴルフ練習台を提供する。【解決手段】  断面の輪郭形状が多角形をなす支持部材５と、この支持部材５が上面に載置される台板２と、この台板２に横設されるアングル材４と、このアングル材４に端面が係止するとともに，支持部材５によって支持される矩形状の傾斜板３と、を備えたことを特徴とする。【選択図】図１
0003169523.tif 000002
【実用新案登録請求の範囲】
【請求項１】
断面の輪郭形状が多角形をなす支持部材と、
この支持部材が上面に載置される台板と、
この台板に立設される係止具と、
この係止具に端面が係止するとともに，前記支持部材によって支持される矩形状の傾斜板と、
を備えたことを特徴とするゴルフ練習台。
【請求項２】
前記係止具は、前記台板の前記上面に横設される断面Ｌ字状のアングル材からなり、
前記傾斜板は、前記端面がこのアングル材の前記台板に対する立設面に当接するように設置されたことを特徴とする請求項１記載のゴルフ練習台。
【請求項３】
上面に複数のティー設置部が列設され，前記傾斜板の表面に敷設される衝撃吸収マットを備えたことを特徴とする請求項１又は請求項２に記載のゴルフ練習台。
【請求項４】
前記傾斜板は、互いに対向する第１の端面及び第２の端面を有し、
この第１の端面に沿って位置を変更可能に設置されるカップを備え、
前記衝撃吸収マットは、このカップに前記ティー設置部が対向するように前記傾斜板の前記第２の端面近傍に敷設されたことを特徴とする請求項３に記載のゴルフ練習台。
【考案の詳細な説明】
【技術分野】
【０００１】
本考案は、ゴルファーがスイングの練習をする際に用いるゴルフ練習台に係り、特に、打席の傾斜を様々に変化させた状態でスイングの練習を行うことが可能なゴルフ練習台に関する。
【背景技術】
【０００２】
従来、ゴルフスイングの練習台は打席が水平に設置されており、傾斜した状態で練習を行うことができなかった。しかし、実際のゴルフ場には起伏があり、そのような場所でゴルフボールを正確に打つことを苦手とするゴルファーは多い。そのため、傾斜面でのスイングの練習に適したゴルフ練習台の開発が強く望まれている。そこで、近年、練習台の打席を傾斜させるための技術について様々な研究や開発が行われており、それに関して既に幾つかの発明や考案が開示されている。
【０００３】
例えば、特許文献１には、「傾斜ゴルフ練習台」という名称で、ゴルファーの片足で練習台の一端を押し出して傾斜させる傾斜ゴルフ練習台に関する発明が開示されている。
特許文献１に開示された発明は、傾斜ゴルフ練習台の裏面中心に設けられた伸縮バネと、この練習台の全角部を裏面から支持する支柱金具と、支柱金具を押圧して固定するアクチュエータと、支柱金具の傾動を可能とする地下空洞と、を備えることを特徴とする。
このような構造によれば、傾斜ゴルフ練習台を全周に亘って微細に上下動させるとともに、任意の角度で瞬時に固定調節することができる。
【０００４】
また、特許文献２には、「傾斜地スイング練習台」という名称で、回転軸盤を回転させて練習台を傾斜させる構造の練習台に関する発明が開示されている。
特許文献２に開示された発明は、下縁にツメを設けた円形の練習台と、軸周囲にネジ山を備え，練習台の裏面中心を支持する回転軸盤と、練習台のツメと回転軸盤のネジ山を受ける回転軸盤受けと、を備えることを特徴とする。
このような構造の傾斜地スイング練習台においては、回転軸盤を回転させると円形の練習台のうちツメを設けた側が上昇するため、練習台に様々な傾斜を設定することができる。
【０００５】
さらに、特許文献３には、「ゴルフ練習台」という名称で、ゴルファーの位置によってのみ台部の傾斜位置が変動する構造の練習台に関する発明が開示されている。
特許文献３に開示された発明は、基部と、基部に枢動可能に載置された台部と、台部と基部との間にある流体シリンダーと，流体シリンダーを介する流体流を制御するバルブ手段とを有する流体手段と、を有しており、この台部はバルブ手段にて異なる傾斜に枢動可能又は阻止されることを特徴とする。
このような構造のゴルフ練習台においては、ゴルファーが台部上のどの位置にいるかにより台部の傾斜を調整することができる。また、偶数の流体シリンダーを有する場合には、あらゆる方向に対して台部を傾斜させることが可能である。
【先行技術文献】
【特許文献】
【０００６】
【特許文献１】特開平５−３１２１８号公報
【特許文献２】特開２０１０−５１７６２号公報
【特許文献３】特開平１０−９４６２６号公報
【考案の概要】
【考案が解決しようとする課題】
【０００７】
特許文献１に開示された発明においては、傾斜ゴルフ練習台の上下動と角度の固定調節が可能であるものの、地下空洞を設ける必要があるため、設置準備が大掛かりになるという課題があった。さらに、ゴルファーの足が側面カバーを突き抜けてこの空洞に落下する危険性もあった。
【０００８】
また、特許文献２に開示された発明は、回転軸盤を回転させることで練習台に様々な傾斜を設定するものであるが、回転軸盤を回転させる手段に関して何ら記載がない。従って、例えば、練習台の直径や重量によっては回転が困難となり、練習台に様々な傾斜を設定できないおそれがある。
【０００９】
特許文献３に開示された発明においては、ゴルファーの位置に応じて台部の傾斜をあらゆる方向に調整できるものの、流体シリンダー、バルブ、ホース管といった多くの構成部材を必要とするため、構造が複雑かつ大掛かりとなり、製造コストが高くなるという課題があった。また、特許文献１に開示された発明のような地下空洞は不要であるものの、設置場所を移動させたい場合には対応が困難であるという課題があった。
【００１０】
本考案は、このような従来の事情に対処してなされたものであり、所望の傾斜角度へ速やかに設定することが可能であり、かつ構造が簡単で持ち運びが容易なゴルフ練習台を提供することを目的とする。
【課題を解決するための手段】
【００１１】
上記目的を達成するため、請求項１記載の考案は、断面の輪郭形状が多角形をなす支持部材と、この支持部材が上面に載置される台板と、この台板に立設される係止具と、この係止具に端面が係止するとともに，支持部材によって支持される矩形状の傾斜板と、を備えたことを特徴とする。
このような構造のゴルフ練習台においては、係止具に係止される端面に対向する側の端面の近傍を支持部材で支持すると、自重によって係止具側の端面が支持部材側の端面よりも下がり、傾斜板が台板に対して傾斜するという作用を有する。また、高さの異なる複数の支持部材を備えることによれば、支持部材を交換することで傾斜板の傾斜角度が変わるという作用を有する。
【００１２】
また、請求項２記載の考案は、請求項１記載のゴルフ練習台において、係止具は、台板の上面に横設される断面Ｌ字状のアングル材からなり、傾斜板は、端面がこのアングル材の台板に対する立設面に当接するように設置されたことを特徴とする。
このような構造のゴルフ練習台においては、請求項１に記載の考案の作用に加えて、係止具が台板に対して容易に固定されるとともに、傾斜板の係止状態が安定するという作用を有する。また、アングル材は安価であるため、調達が容易である。
【００１３】
請求項３記載の考案は、請求項１又は請求項２記載のゴルフ練習台において、上面に複数のティー設置部が列設され，傾斜板の表面に敷設される衝撃吸収マットを備えたことを特徴とする。
このような構造のゴルフ練習台においては、請求項１又は請求項２に記載の考案の作用に加えて、列設される複数のティー設置部のうちゴルフボールが置かれていない箇所がショットの際の目印になるという作用を有する。また、衝撃吸収マットを備えることで、ボールを打ち損じて衝撃吸収マットをゴルフクラブのヘッドで直接叩いた場合でもその衝撃が吸収されるため、ゴルフ練習台及びゴルフクラブの破損が防止されるという作用を有する。
【００１４】
請求項４記載の考案は、請求項３に記載のゴルフ練習台において、傾斜板は、互いに対向する第１の端面及び第２の端面を有し、この第１の端面に沿って位置を変更可能に設置されるカップを備え、衝撃吸収マットは、このカップにティー設置部が対向するように傾斜板の第２の端面近傍に敷設されたことを特徴とする。
このような構造のゴルフ練習台においては、請求項３に記載の考案の作用に加えて、カップの位置や傾斜板の傾斜角度を変えることでカップに対するティー設置部からの距離や方向が様々に変化するという作用を有する。
【考案の効果】
【００１５】
以上説明したように、本考案の請求項１記載のゴルフ練習台によれば、傾斜板を傾斜させることで、従来不可能であった傾斜面でのスイングの練習が可能となる。また、支持部材の高さに応じて傾斜板の傾斜角度が決まるため、所望の傾斜角度を有する傾斜面を容易、かつ速やかに形成することができる。そして、支持部材と、台板と、係止具と、傾斜板からなる本考案のゴルフ練習台は、構造が簡単であるため、安価に製造できる。加えて、これらの部材として小型で軽量なものを選定することができる。この場合、持ち運びや組み立てが容易となる。
【００１６】
本考案の請求項２記載のゴルフ練習台によれば、請求項１記載の考案の効果に加えて、使用中に傾斜板が台板より外れるおそれがなく、安全性が高いという効果を奏する。また、係止具が安価であり、その調達や設置が容易なため、製造コストを安くすることができる。
【００１７】
本考案の請求項３記載のゴルフ練習台によれば、請求項１又は請求項２に記載の考案の効果に加えて、例えば、ショットの際にボールの１つ手前のティー設置部に目線を固定することなどにより、スイング時の癖を矯正できるという効果を奏する。加えて、ゴルフ練習台及びゴルフクラブの破損が防止されるため、安全性が高く、また、経済的に優れるという有利な効果を有する。
【００１８】
本考案の請求項４記載のゴルフ練習台によれば、請求項３に記載の考案の効果に加えて、ティー設置部からカップまでの距離や方向を変更することで、ゴルフ場の傾斜面を想定した実践的なパター練習を効果的に行うことができる。
【図面の簡単な説明】
【００１９】
【図１】（ａ）は本考案の実施の形態に係るゴルフ練習台の実施例１の外観斜視図であり、（ｂ）はそのゴルフ練習台を構成する衝撃吸収マットの平面図である。
【図２】（ａ）及び（ｂ）はそれぞれ実施例１のゴルフ練習台を構成する傾斜板及び台板の平面図である。
【図３】（ａ）乃至（ｅ）は実施例１のゴルフ練習台の使用状態を示す図である。
【図４】（ａ）及び（ｂ）は実施例１のゴルフ練習台の変形例の断面図である。
【図５】本考案の実施の形態に係るゴルフ練習台の実施例２の平面図である。
【考案を実施するための形態】
【実施例１】
【００２０】
本考案の実施の形態に係る実施例１のゴルフ練習台について、図１及至図４を用いて詳細に説明する（主に、請求項１及至請求項３に対応）。
図１（ａ）に示すように、ゴルフ練習台１は木製の矩形板からなり，水平な地表面に設置される台板２と、台板２とほぼ等しい面積を有する木製の矩形板からなり，上面３ｅが人工芝８（図４（ａ）又は図４（ｂ）参照）で被覆された傾斜板３と、断面がＬ字形状をなす金属製のアングル材４と、アングル材４とほぼ等しい長さを有する立方形状をなす木製の支持部材５によって構成されている。また、台板２の端面には、４対のアングル材４，４がそれぞれ対向するように配置されており（図２（ｂ）参照）、各アングル材４は一つの面が台板２に対して立設するように，ネジ（図示せず）を用いて台板２の上面に固定されている。台板２及び傾斜板３の大きさは８８０ｍｍ×８８０ｍｍであり、アングル材４の長さは３００ｍｍである。ただし、ゴルファーが高身長である場合は、台板２及び傾斜板３の大きさを１５８０ｍｍ×８８０ｍｍとする方が望ましい。
【００２１】
傾斜板３は、端面３ａ〜３ｄを備え、対となるアングル材４，４のうちの一方に端面３ｄを当接させるとともに、上記アングル材４，４の他方に対して当接した状態で台板２の上面に載置される支持部材５によって，その下面３ｆを支持されている。そして、傾斜板３の端面３ｃには、持ち手７が取り付けられている。また、図１（ａ）又は図２（ａ）に示すように、傾斜板３の端面３ｄ近傍の上面３ｅには長方形状の衝撃吸収マット６が貼付されている。そして、衝撃吸収マット６はその長手方向が傾斜板３の端面３ｄに平行となるように配置され（図２（ａ）参照）、ネジ（図示せず）によって傾斜板３の上面３ｅに固定されている。加えて、上面３ｅには右利きの利用者が衝撃吸収マット６に向かって立つ際の足形が描かれている。破線で描かれた足形は傾斜方向が左足下がりの場合を示しており、点線で描かれた足形は傾斜方向が左足上がりの場合を示している。なお、これらはそれぞれ後述の図３（ｂ）及び図３（ｃ）に相当する。さらに、図１（ｂ）に示すように、スポンジゴムからなる衝撃吸収マット６には、その長手方向に沿って複数のティー９を設置可能に，ティー設置部としてティー用孔９ａが一列に並んだ状態で設けられている。衝撃吸収マット６の大きさは６００ｍｍ×３００ｍｍ×５ｍｍであり、ティー用孔９ａの間隔は４０ｍｍである。また、衝撃吸収マット６の表面はティー用孔９ａを除いて人工芝８で被覆されている。
【００２２】
図３（ａ）乃至図３（ｅ）は、ゴルフ練習台１の傾斜板３の上にゴルファー１０が立ってゴルフクラブ１１でボール１２を打つ直前の状態を示した図である。なお、ボール１２の飛ぶ方向は、図３（ａ）乃至図３（ｃ）では矢印で示す方向であり、図３（ｄ）及び図３（ｅ）では紙面に垂直な方向である。さらに、図３（ａ）乃至図３（ｅ）ではそれぞれ傾斜板３の傾斜方向が異なっている。すなわち、ゴルファー１０の両足の状態が、図３（ａ）では水平、図３（ｂ）では左足下がり、図３（ｃ）では左足上がり、図３（ｄ）では前下がり、図３（ｅ）では前上がりとなっている。そして、図３（ａ）は支持部材５を使用しない状態を示し、図３（ｂ）乃至図３（ｅ）は支持部材５を傾斜板３の下面３ｆに設置した状態を示している。これらの図に示すように、ゴルフ練習台１は、所定の高さを有する支持部材５を所望の位置に配置することで、傾斜角度及び傾斜方向を任意に設定可能な構造となっている。
【００２３】
このような構造のゴルフ練習台１においては、台板２の端部に立設されるアングル材４に傾斜板３の端面３ｄが係止し、端面３ａと対向する端面３ｃの近傍が支持部材５によって支持されているため、自重によって端面３ｄが端面３ｃよりも下がり、傾斜板３が台板２に対して傾斜するという作用を有する。また、台板２、傾斜板３及び支持部材５は互いに固着されていないため、収納作業が容易である。そして、台板２及び傾斜板３は、支持部材５を取り外して、台板２及び傾斜板３の面同士を合わせた状態にすることが可能であり、その面積はともに１ｍ２以内とコンパクトである。これにより、持ち運びや組み立てが容易であることに加え、収納スペースが節約されるという作用を有する。さらに、支持部材５は中実構造の木材によって構成されるため、高い強度を備えており、傾斜板３の上にゴルファー１０が立った場合でも破損するおそれがない。加えて、高さの異なる複数の支持部材５を備えることによれば、支持部材５を適宜交換することで、傾斜板３の傾斜角度が変わるという作用を有する。なお、本実施例では、傾斜板３の傾斜角度は２．５度、５．０度、７．５度、１０．０度、１２．５度、１５．０度の６通りに設定可能となっている。
【００２４】
傾斜板３の上面３ｅには、長方形状の衝撃吸収マット６がネジによって固定されていることから、ボールを打ち損じて衝撃吸収マット６をゴルフクラブのヘッドで直接叩いた場合でも衝撃吸収マット６が移動又は剥離しないという作用を有する。また、その際の衝撃が衝撃吸収マット６に充分吸収されるため、ゴルフ練習台１及びゴルフクラブ１１の破損が防止されるという作用を有する。そして、上面３ｅには左足下がりと左足上がりの足形が描かれているため、傾斜方向が異なる場合にとるべきスタンスを一目で理解することができる。
【００２５】
さらに、ティー用孔９ａは一列に並んでいることから、ボールを置く位置の選択肢が多い。また、ティー用孔９ａが並ぶ範囲の全長は２４０ｍｍであり、例えばゴルファー１０のスタンスの中心や右側、左側といった所望の位置にボール１２を置くことができる。この場合、ボールを置いた位置だけでなく、ボールを置いていない位置もショットの際の目印になるという作用を有する。すなわち、一般に傾斜面ではゴルフクラブのヘッドがボールの手前の地面に当たった後にボールに当たったり（いわゆるダフリ）、ゴルフクラブのヘッドでボールの上部を叩いてしまったりする結果、ほんのわずかしかボールが転がらない（いわゆるチョロ）というミスショットが発生し易い。これらはいずれもスイングの最下点がボールの手前にあることに起因している。従って、実際にボール１２が置かれた位置から飛距離方向に離れた隣のティー用孔９ａに目線を向けることにより、スイングの最下点がボール１２側に移動してヘッドがボール１２に当たり易くなる。特に、ティー用孔９ａの間隔が、ミスショット時のスイングの最下点とボール１２との距離とほぼ等しい４０ｍｍに設定されているため、上記方法によれば、スイングが自然に改善されるという作用を有する。
【００２６】
以上説明したように、本実施例のゴルフ練習台１によれば、傾斜板３が台板２に対して傾斜面を形成することから、傾斜面においてゴルフボールを正確に打てるようになるためのスイング練習を行うことができる。さらに、支持部材５の交換により、所望の傾斜角度を有する傾斜面を容易、かつ速やかに形成することができる。これにより、ゴルフ場の多様な傾斜面に対応可能な実力が養われる。そして、支持部材５自体が破損し難く、また、支持部材５及び傾斜板３の端面３ｄがアングル材４，４にそれぞれ係止しており、傾斜板３が不意に外れるおそれがないことから、練習時の安全性が高い。加えて、ゴルフ練習台１は、支持部材５と、台板２と、アングル材４と、傾斜板３という安価な部材からなり、その構造も簡単であるため、製造コストを削減できる。また、アングル材４が台板２の各端部に立設されており、いずれの端部に対しても傾斜板３の端面３ａ〜３ｄのいずれかを係止可能な構造となっているので、手早く組み立てることができる。そして、台板２及び傾斜板３の大きさがコンパクトであることに加え、傾斜板３に持ち手７が取り付けられていることから、持ち運びがさらに容易となっている。
【００２７】
加えて、衝撃吸収マット６によりゴルフ練習台１及びゴルフクラブ１１の破損が防止されるため、安全性が高く、かつ、経済的にも優れている。また、ティー用孔９ａをショットの際の目印にできるので、例えば、ボール１２が置かれた手前のティー用孔９ａに目線を向けることにより、スイング時の癖を矯正するための練習ができる。さらに、ボール１２を置く位置を自在に変更できることから、傾斜角度を変化させた場合のスタンスに最適なボール１２の位置を選択することができる。これにより実戦的な練習が可能となる。
また、傾斜板３の上面３ｅに足形が描かれていることから、とるべきスタンスを一目で理解することができる。従って、初心者でも足の置き方に迷うことがないため、上達が早い。
【００２８】
なお、本考案のゴルフ練習台は本実施例に示す構造に限定されない。例えば、アングル材４は台板２にネジで固定されるのではなく、台板２に着脱可能に嵌合される構造であっても良い。また、その総数は８個以外でも良いが、アングル材４は台板２の各端部に少なくとも１個ずつ設けられることが望ましい。さらに、支持部材５は必ずしもアングル材４の長さとほぼ等しくなくとも良く、例えば、傾斜板３の端面３ａ〜３ｄの長さに等しくても良い。この場合、使用される支持部材５は１個となる。さらに、衝撃吸収マット６は人工芝８により被覆されていない構造とすることもできる。また、衝撃吸収マット６は傾斜板３に貼付されずにネジ固定されるのみでも良く、傾斜板３との摩擦が大きいため、ずれるおそれのない場合は固定されなくても良い。この他、傾斜板３の上面３ｅに描かれる足形は、左利きの利用者のために右利きとは異なる色で表示等しても良いし、持ち手７を傾斜板３に加えて台板２に取り付けても良い。
【００２９】
図４（ａ）及び図４（ｂ）は支持部材の変形例の断面形状を説明するための図であり、いずれも図２（ａ）のＡ−Ａ線矢視断面図に相当する。なお、断面の輪郭形状や大きさが異なる複数の支持部材が便宜上、１つの図中に示されているが、これらの支持部材が実際に入れ子の状態で設置されるわけではない。
図４（ａ）及び図４（ｂ）に示すように、支持部材５ａ〜５ｊは内部が中空の金属材であり、断面の輪郭形状は支持部材５ａ〜５ｅが正方形、支持部材５ｆ〜５ｊが台形である。そして、支持部材５ａ〜５ｅでは傾斜板３の下面３ｆと線接触をするのに対し、支持部材５ｆ〜５ｊでは傾斜した上面が下面３ｆと面接触し、上面全体で傾斜板３を支持する構造となっている。
このような構造の支持部材５ａ〜５ｊにおいては、中空部分に他の支持部材を入れ子の状態に収容できるため、持ち運びの際においてもかさ張らず便利である。なお、支持部材５ａ〜５ｊはいずれも内部が中空であるが金属製であるため、支持部材５と同様にそれ自体は破損し難い。特に、上面全体で傾斜板３を支持する構成の支持部材５ｆ〜５ｊにおいては、上方からの圧力が分散するため、一層破損し難い。
【実施例２】
【００３０】
実施例２のゴルフ練習台について、図５を用いて詳細に説明する（主に、請求項４に対応）。なお、図５は実施例２に係るゴルフ練習台の平面図である。また、図１で示した構成要素については同一の符号を付して、その説明を省略する。
図５に示すように、本実施例のゴルフ練習台１ａは、実施例１のゴルフ練習台１において、傾斜板３の上面３ｅに衝撃吸収マット６ａ，６ｂが設けられるとともに，傾斜板３の端面３ｄにカップ１３ａ，１３ｂが設けられたことを特徴とする。そして、衝撃吸収マット６ａ，６ｂは、それぞれ傾斜板３の端面３ａ，３ｂ付近に沿って、持ち手７が取り付けられた端面３ｃ寄りに貼付されている。なお、衝撃吸収マット６ａ，６ｂは、衝撃吸収マット６よりも長手方向の長さがやや短くなっている。また、カップ１３ａ，１３ｂは、横幅がボール１２の２個分程度であって少なくとも４個のボール１２を収容可能な体積を有している。さらに、持ち手７に対向する側の端面３ｄに互いに離隔して取り付けられ、矢印Ｘで示すように端面３ｄに沿って互いに独立にスライド可能な構造になっている。なお、図５は、カップ１３ｂを移動させてカップ１３ａに近づけた状態を示している。
【００３１】
このような構造のゴルフ練習台１ａにおいては、矢印Ｂ１〜Ｂ４で示すとおり、端面３ａ付近の衝撃吸収マット６において打ったボール１２がカップ１３ａに収容され、端面３ｂ付近の衝撃吸収マット６において打ったボール１２が他方のカップ１３ｂに収容されるという作用を有する。なお、衝撃吸収マット６ａ，６ｂは、長手方向の長さが衝撃吸収マット６よりもやや短くなっているため、貼付位置を端面３ｃ側に寄せるとティー用孔９ａからカップ１３ａ，１３ｂまでの取りうる距離が最大となる。さらに、カップ１３ａ，１３ｂが矢印Ｘで示す方向へスライド可能であることに加えて傾斜板３の傾斜角度が変更可能であることから、それらの組み合わせによりボール１２をカップ１３ａ，１３ｂに入れるための力や打つ方向が様々に変化する。
【００３２】
以上説明したように、本実施例のゴルフ練習台１ａによれば、ショットの他にパターの練習が可能である。そして、２組のカップと衝撃吸収マットがそれぞれ対向して設けられることから、利用者が右利き又は左利きのいずれであっても練習が可能である。しかも、カップ１３ａ，１３ｂの位置や傾斜板３の傾斜を変更すると、打ち方をその都度変える必要が生じることから、様々な傾斜面におけるパターの練習が可能となる。また、カップ１３ａ，１３ｂの横幅がボール１２の２個分程度であることから、ボール１２をカップインさせる際の目標として有効であり、さらに少なくとも４個のボール１２を収容可能な体積を有していることから、１打毎にボール１２を取り除く必要がないため効率的な練習を行うことができる。
【００３３】
なお、本考案のゴルフ練習台は本実施例に示す構造に限定されない。例えば、カップ１３ａ，１３ｂが傾斜板３から着脱可能であっても良く、その体積を大きくして収容可能なボール１２の数を増加させても良い。さらに、底面がトーションばねを介して側壁に取り付けられ、一定荷重以上になると底面が開放されて収容された複数のボール１２がカップ１３ａ，１３ｂから一度に排出される構造であっても良い。また、衝撃吸収マット６ａ，６ｂは傾斜板３に貼付されずにネジ固定されるのみでも良い。
【産業上の利用可能性】
【００３４】
請求項１乃至請求項４に記載された考案は、ゴルフ練習場や個人の庭に設置されるゴルフ練習台として適用可能である。
【符号の説明】
【００３５】
１，１ａ…ゴルフ練習台  ２…台板  ３…傾斜板  ３ａ〜３ｄ…端面  ３ｅ…上面  ３ｆ…下面  ４…アングル材  ５，５ａ〜５ｊ…支持部材  ６，６ａ，６ｂ…衝撃吸収マット  ７…持ち手  ８…人工芝  ９…ティー  ９ａ…ティー用孔  １０…ゴルファー  １１…ゴルフクラブ  １２…ボール  １３ａ，１３ｂ…カップ
【図１】
0003169523.tif 000003
【図２】
0003169523.tif 000004
【図３】
0003169523.tif 000005
【図４】
0003169523.tif 000006
【図５】
0003169523.tif 000007